【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うことを特徴とするＩＰ電話システム。
【請求項２】
ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うことを特徴とするＩＰ電話システム。
【請求項３】
前記ＩＰ電話装置は、前記ＥＮＵＭサーバに問合せを行ってＮＡＰＴＲリソースレコードを取得し前記宛先端末がＳＩＰプロトコルに対応可能である旨が前記ＮＡＰＴＲリソースレコードに登録されている場合には当該宛先端末とＩＰ網を介してＳＩＰプロトコルに従って呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うことを特徴とする請求項１又は請求項２記載のＩＰ電話システム。
【請求項４】
前記ＩＰ電話装置は、前記ＥＮＵＭサーバに問合せを行ってＮＡＰＴＲリソースレコードを取得し前記宛先端末がＰＳＴＮ網に対応可能である旨が前記ＮＡＰＴＲリソースレコードに登録されている場合には当該宛先端末とＰＳＴＮ網を介して呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うことを特徴とする請求項２又は請求項３記載のＩＰ電話システム。
【請求項５】
前記ＥＮＵＭサーバは、インターネットプロバイダが備えることを特徴とする請求項１から請求項４のいずれかに記載のＩＰ電話システム。
【請求項６】
ＩＰ電話装置によるＩＰ網を介した音声通話を管理するＩＰ電話管理サーバ及びＩＰ電話装置の問合せに応じてＮＡＰＴＲリソースレコードを返送するＥＮＵＭサーバに接続されるＩＰ電話装置であって、ＩＰ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うことを特徴とするＩＰ電話装置。
【請求項７】
ＩＰ電話装置によるＩＰ網を介した音声通話を管理するＩＰ電話管理サーバ及びＩＰ電
話装置の問合せに応じてＮＡＰＴＲリソースレコードを返送するＥＮＵＭサーバに接続されるＩＰ電話装置であって、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うことを特徴とするＩＰ電話装置。
【請求項８】
前記ＥＮＵＭサーバに問合せを行ってＮＡＰＴＲリソースレコードを取得し前記宛先端末がＳＩＰプロトコルに対応可能である旨が前記ＮＡＰＴＲリソースレコードに登録されている場合には当該宛先端末とＩＰ網を介してＳＩＰプロトコルに従って呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うことを特徴とする請求項６又は請求項７記載のＩＰ電話装置。
【請求項９】
前記ＥＮＵＭサーバに問合せを行ってＮＡＰＴＲリソースレコードを取得し前記宛先端末がＰＳＴＮ網に対応可能である旨が前記ＮＡＰＴＲリソースレコードに登録されている場合には当該宛先端末とＰＳＴＮ網を介して呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うことを特徴とする請求項７又は請求項８記載のＩＰ電話装置。
【請求項１０】
ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網を介して音声通話を行う際、宛先端末に対応するＮＡＰＴＲリソースレコードの問合せを前記ＥＮＵＭサーバに行い、前記ＮＡＰＴＲリソースレコードを取得した場合には当該ＮＡＰＴＲリソースレコードの内容に従ってＩＰ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うことを特徴とする通話方法。
【請求項１１】
ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網又はＰＳＴＮ網を介して音声通話を行う際、宛先端末に対応するＮＡＰＴＲリソースレコードの問合せを前記ＥＮＵＭサーバに行い、前記ＮＡＰＴＲリソースレコードを取得した場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うことを特徴とする通話方法。
【請求項１２】
前記ＥＮＵＭサーバに問合せを行ってＮＡＰＴＲリソースレコードを取得し前記宛先端末がＳＩＰプロトコルに対応可能である旨が前記ＮＡＰＴＲリソースレコードに登録されている場合には当該宛先端末とＩＰ網を介してＳＩＰプロトコルに従って呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うことを特徴とする請求項１０又は請求項１１記載の通話方法。
【請求項１３】
前記ＥＮＵＭサーバに問合せを行ってＮＡＰＴＲリソースレコードを取得し前記宛先端末がＰＳＴＮ網に対応可能である旨が前記ＮＡＰＴＲリソースレコードに登録されている場合には当該宛先端末とＰＳＴＮ網を介して呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うことを特徴とする請求項１１又は請求項１２記載の通話方法。
【請求項１４】
前記ＥＮＵＭサーバは、インターネットプロバイダが備えることを特徴とする請求項１０から請求項１３のいずれかに記載の通話方法。
【手続補正２】
【補正対象書類名】明細書
【補正対象項目名】００１９
【補正方法】変更
【補正の内容】
【００１９】
本発明は、ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うようにしたものである。
【手続補正３】
【補正対象書類名】明細書
【補正対象項目名】００２１
【補正方法】変更
【補正の内容】
【００２１】
本発明の第１の態様に係るＩＰ電話システムは、ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行う構成を採る。
【手続補正４】
【補正対象書類名】明細書
【補正対象項目名】００２２
【補正方法】変更
【補正の内容】
【００２２】
この構成によれば、ＥＮＵＭサーバからＮＡＰＴＲリソースレコードを取得した場合には当該ＮＡＰＴＲリソースレコードの内容に従ってＩＰ網を介して宛先端末との間で直接呼制御を行った後に音声通話が行われる一方、ＮＡＰＴＲリソースレコードを取得できない場合にはＩＰ電話管理サーバ（ＣＡ）を介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【手続補正５】
【補正対象書類名】明細書
【補正対象項目名】００２３
【補正方法】変更
【補正の内容】
【００２３】
本発明の第２の態様に係るＩＰ電話システムは、ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行う構成を採る。
【手続補正６】
【補正対象書類名】明細書
【補正対象項目名】００２４
【補正方法】変更
【補正の内容】
【００２４】
この構成によれば、ＥＮＵＭサーバからＮＡＰＴＲリソースレコードを取得した場合には当該ＮＡＰＴＲリソースレコードの内容に従ってＩＰ網又はＰＳＴＮ網を介して宛先端末との間で直接呼制御を行った後に音声通話が行われる一方、ＮＡＰＴＲリソースレコードを取得できない場合にはＩＰ電話管理サーバを介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【手続補正７】
【補正対象書類名】明細書
【補正対象項目名】００２６
【補正方法】変更
【補正の内容】
【００２６】
本発明の第３の態様は、第１又は第２の態様に係るＩＰ電話システムにおいて、前記ＩＰ電話装置は、前記ＥＮＵＭサーバに問合せを行ってＮＡＰＴＲリソースレコードを取得し前記宛先端末がＳＩＰプロトコルに対応可能である旨が前記ＮＡＰＴＲリソースレコードに登録されている場合には当該宛先端末とＩＰ網を介してＳＩＰプロトコルに従って呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行う構成を採る。
【手続補正８】
【補正対象書類名】明細書
【補正対象項目名】００２７
【補正方法】変更
【補正の内容】
【００２７】
この構成によれば、ＮＡＰＴＲリソースレコードを取得し宛先端末がＳＩＰプロトコルに対応可能である旨が登録されている場合には当該宛先端末とＩＰ網を介してＳＩＰプロトコルに従って呼制御を行った後に音声通話が行われる一方、ＮＡＰＴＲリソースレコードを取得できない場合にはＩＰ電話管理サーバを介してＩＰ網により宛先端末とＳＩＰプロトコルに従って呼制御を行った後に音声通話が行われる。これにより、ＩＰ電話管理サーバにより行われるＳＩＰプロトコルに従った呼制御が低減されると共に、ＩＰ電話管理サーバによるＳＩＰに従った呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現
することができる。
【手続補正９】
【補正対象書類名】明細書
【補正対象項目名】００２８
【補正方法】変更
【補正の内容】
【００２８】
本発明の第４の態様は、第２又は第３の態様に係るＩＰ電話システムにおいて、前記ＩＰ電話装置は、前記ＥＮＵＭサーバに問合せを行ってＮＡＰＴＲリソースレコードを取得し前記宛先端末がＰＳＴＮ網に対応可能である旨が前記ＮＡＰＴＲリソースレコードに登録されている場合には当該宛先端末とＰＳＴＮ網を介して呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行う構成を採る。
【手続補正１０】
【補正対象書類名】明細書
【補正対象項目名】００２９
【補正方法】変更
【補正の内容】
【００２９】
この構成によれば、ＮＡＰＴＲリソースレコードを取得し宛先端末がＰＳＴＮ網に対応可能である旨が登録されている場合には当該宛先端末とＰＳＴＮ網を介して呼制御を行った後に音声通話が行われる一方、ＮＡＰＴＲリソースレコードを取得できない場合にはＩＰ電話管理サーバを介してＩＰ網により宛先端末とＳＩＰプロトコルに従って呼制御を行った後に音声通話が行われる。これにより、宛先端末がＰＳＴＮ網経由で発信する端末であるにも関わらず、ＩＰ電話装置がＩＰ電話管理サーバに呼制御を行う事態が回避される。この結果、ＩＰ電話管理サーバの負荷を軽減することができる。
【手続補正１１】
【補正対象書類名】明細書
【補正対象項目名】００３２
【補正方法】変更
【補正の内容】
【００３２】
本発明の第６の態様に係るＩＰ電話装置は、ＩＰ電話装置によるＩＰ網を介した音声通話を管理するＩＰ電話管理サーバ及びＩＰ電話装置の問合せに応じてＮＡＰＴＲリソースレコードを返送するＥＮＵＭサーバに接続されるＩＰ電話装置であって、ＩＰ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行う構成を採る。
【手続補正１２】
【補正対象書類名】明細書
【補正対象項目名】００３３
【補正方法】変更
【補正の内容】
【００３３】
この構成によれば、ＥＮＵＭサーバからＮＡＰＴＲリソースレコードを取得した場合には当該ＮＡＰＴＲリソースレコードの内容に従ってＩＰ網を介して宛先端末との間で直接呼制御を行った後に音声通話が行われる一方、ＮＡＰＴＲリソースレコードを取得できない場合にはＩＰ電話管理サーバを介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【手続補正１３】
【補正対象書類名】明細書
【補正対象項目名】００３４
【補正方法】変更
【補正の内容】
【００３４】
本発明の第７の態様に係るＩＰ電話装置は、ＩＰ電話装置によるＩＰ網を介した音声通話を管理するＩＰ電話管理サーバ及びＩＰ電話装置の問合せに応じてＮＡＰＴＲリソースレコードを返送するＥＮＵＭサーバに接続されるＩＰ電話装置であって、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードを取得した場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行う構成を採る。
【手続補正１４】
【補正対象書類名】明細書
【補正対象項目名】００３５
【補正方法】変更
【補正の内容】
【００３５】
この構成によれば、ＥＮＵＭサーバからＮＡＰＴＲリソースレコードを取得した場合には当該ＮＡＰＴＲリソースレコードの内容に従ってＩＰ網又はＰＳＴＮ網を介して宛先端末との間で直接呼制御を行った後に音声通話が行われる一方、ＮＡＰＴＲリソースレコードを取得できない場合にはＩＰ電話管理サーバを介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【手続補正１５】
【補正対象書類名】明細書
【補正対象項目名】００３７
【補正方法】変更
【補正の内容】
【００３７】
本発明の第８の態様に係るＩＰ電話装置は、第６又は第７の態様に係るＩＰ電話装置において、前記ＥＮＵＭサーバに問合せを行ってＮＡＰＴＲリソースレコードを取得し前記宛先端末がＳＩＰプロトコルに対応可能である旨が前記ＮＡＰＴＲリソースレコードに登録されている場合には当該宛先端末とＩＰ網を介してＳＩＰプロトコルに従って呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行う構成を採る。
【手続補正１６】
【補正対象書類名】明細書
【補正対象項目名】００３８
【補正方法】変更
【補正の内容】
【００３８】
この構成によれば、ＮＡＰＴＲリソースレコードを取得し宛先端末がＳＩＰプロトコルに対応可能である旨が登録されている場合には当該宛先端末とＩＰ網を介してＳＩＰプロトコルに従って呼制御を行った後に音声通話が行われる一方、ＮＡＰＴＲリソースレコードを取得できない場合にはＩＰ電話管理サーバを介してＩＰ網により宛先端末とＳＩＰに従って呼制御を行った後に音声通話が行われる。これにより、ＩＰ電話管理サーバにより行われるＳＩＰに従った呼制御が低減されると共に、ＩＰ電話管理サーバによるＳＩＰに従った呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【手続補正１７】
【補正対象書類名】明細書
【補正対象項目名】００３９
【補正方法】変更
【補正の内容】
【００３９】
本発明の第９の態様に係るＩＰ電話装置は、第７又は第８の態様に係るＩＰ電話装置において、前記ＥＮＵＭサーバに問合せを行ってＮＡＰＴＲリソースレコードを取得し前記宛先端末がＰＳＴＮ網に対応可能である旨が前記ＮＡＰＴＲリソースレコードに登録されている場合には当該宛先端末とＰＳＴＮ網を介して呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行う構成を採る。
【手続補正１８】
【補正対象書類名】明細書
【補正対象項目名】００４０
【補正方法】変更
【補正の内容】
【００４０】
この構成によれば、ＮＡＰＴＲリソースレコードを取得し宛先端末がＰＳＴＮ網に対応可能である旨が登録されている場合には当該宛先端末とＰＳＴＮ網を介して呼制御を行った後に音声通話が行われる一方、ＮＡＰＴＲリソースレコードを取得できない場合にはＩＰ電話管理サーバを介してＩＰ網により宛先端末とＳＩＰプロトコルに従って呼制御を行った後に音声通話が行われる。これにより、宛先端末がＰＳＴＮ網経由で発信する端末であるにも関わらず、ＩＰ電話装置がＩＰ電話管理サーバに呼制御を行う事態が回避される。この結果、ＩＰ電話管理サーバの負荷を軽減することができる。
【手続補正１９】
【補正対象書類名】明細書
【補正対象項目名】００４１
【補正方法】変更
【補正の内容】
【００４１】
本発明の第１０の態様に係る通話方法は、ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網を介して音声通話を行う際、宛先端末に対応するＮＡＰＴＲリソースレコードの問合せを前記ＥＮＵＭサーバに行い、前記ＮＡＰＴＲリソースレコードを取得した場合には当該ＮＡＰＴＲリソースレコードの内容に従ってＩＰ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うものである。
【手続補正２０】
【補正対象書類名】明細書
【補正対象項目名】００４２
【補正方法】変更
【補正の内容】
【００４２】
本発明の第１１の態様に係る通話方法は、ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網又はＰＳＴＮ網を介して音声通話を行う際、宛先端末に対応するＮＡＰＴＲリソースレコードの問合せを前記ＥＮＵＭサーバに行い、前記ＮＡＰＴＲリソースレコードを取得した場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードを取得できない場合には前記ＩＰ電話管理サーバを介してＩＰ網により前記宛先端末と呼制御を行った後に音声通話を行うものである。
【手続補正２１】
【補正対象書類名】明細書
【補正対象項目名】００４３
【補正方法】変更
【補正の内容】
【００４３】
本発明の第１２の態様は、第１０又は第１１の態様に係る通話方法において、前記ＥＮＵＭサーバに問合せを行ってＮＡＰＴＲリソースレコードを取得し前記宛先端末がＳＩＰプロトコルに対応可能である旨が前記ＮＡＰＴＲリソースレコードに登録されている場合には当該宛先端末とＩＰ網を介してＳＩＰプロトコルに従って呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うものである。
【手続補正２２】
【補正対象書類名】明細書
【補正対象項目名】００４４
【補正方法】変更
【補正の内容】
【００４４】
本発明の第１３の態様は、第１１又は第１２の態様に係る通話方法において、前記ＥＮＵＭサーバに問合せを行ってＮＡＰＴＲリソースレコードを取得し前記宛先端末がＰＳＴＮ網に対応可能である旨が前記ＮＡＰＴＲリソースレコードに登録されている場合には当該宛先端末とＰＳＴＮ網を介して呼制御を行った後に音声通話を行う一方、前記ＮＡＰＴＲリソースレコードを取得できない場合には前記ＩＰ電話管理サーバを介してＩＰ網により前記宛先端末とＳＩＰプロトコルに従って呼制御を行った後に音声通話を行うものである。